【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
ネットワーク・ベースのポジショニング・システムのサーバを使用して、前記ネットワーク・ベースのポジショニング・システムに関連したエリアにおいて第１の時間に複数のユーザに関わる第１のロケーション情報を決定することと、
前記第１のロケーション情報を使用して、前記ネットワーク・ベースのポジショニング・システムに関連した前記エリアに関わる第１のユーザ密度分布を計算することと、
第１のオファーを作成するために前記エリアに関連したルールのセットおよび前記第１のユーザ密度分布を分析することと、および、
第１のユーザに前記第１のオファーを含むメッセージを送ることと、を備える、方法。
【請求項２】
前記第１のオファーを作成するために前記第１のユーザ密度分布を分析することは、前記第１のユーザ密度分布を使用してユーザ密度分布履歴を更新することを備え、前記方法は、
マーチャント・コンピュータに前記第１のロケーション情報を提供することと、
好ましくは、第１のマーチャントに前記ユーザ密度分布履歴を備えるロケーション分析を送ることと、をさらに備え、
好ましくは、前記ロケーション分析は、前記ユーザ密度分布履歴に関連したオファー・ディスカウント情報をさらに備え、
好ましくは、前記ロケーション分析は、前記オファー・ディスカウント情報に関連した製品購入情報をさらに備える、請求項１に記載の方法。
【請求項３】
密度差、ユーザ・ロケーション履歴、または、ユーザ購入履歴のうちの少なくとも１つを備える相関値と前記第１のオファーに関連したディスカウントの相互関係を示すことと、および、
前記相関値に基づいて前記第１のオファーに関連した前記ディスカウントを調整することと、をさらに備える、請求項１に記載の方法。
【請求項４】
前記ネットワーク・ベースのポジショニング・システムを使用して、前記ネットワーク・ベースのポジショニング・システムに関連した前記エリアにおいて第２の時間に第２の複数のユーザに関わる第２のロケーション情報を決定することと、および、
前記第１のオファーに対するユーザ応答を決定するために前記第２のロケーション情報を分析することと、好ましくは、
前記第２のロケーション情報を使用して、前記ネットワーク・ベースのポジショニング・システムに関連した前記エリアに関わる第２のユーザ密度分布を計算することと、
第２のユーザ密度分布を使用して前記ユーザ密度分布履歴を更新することと、および、
ユーザ密度分布における変化を計算することと、をさらに備える、請求項１に記載の方法。
【請求項５】
前記第１のオファーに対するユーザ応答を決定するために前記第２のロケーション情報を分析することは、
第３の時間に前記エリアに関わる第３のユーザ密度分布を決定することと、
前記第３の時間に前記エリア内のユーザに前記第３の時間における前記第１のオファーを送ることと、
第４の時間に前記エリアに関わる第４のユーザ密度分布を測定することと、
前記ユーザ密度分布における第２の変化を計算することと、および、
前記第１のオファーの時間ベースの有効性を識別することと、をさらに備える、請求項４に記載の方法。
【請求項６】
前記第１のオファーに対するユーザ応答を決定するために前記第２のロケーション情報を分析することは、
第３の時間に前記エリアに関わる第３のユーザ密度分布を決定することと、
前記第３の時間に前記エリア内のユーザに前記第３の時間における第２のオファーを送ることと、
第４の時間に前記エリアに関わる第４のユーザ密度分布を測定することと、および、
ユーザ密度分布における第２の変化を計算することと、好ましくは、前記第１のオファーと前記第２のオファーとの間の有効性の差を識別するために、ユーザ密度分布における前記第２の変化と、ユーザ密度分布における前記変化との間の差を計算することと、をさらに備える、請求項４に記載の方法。
【請求項７】
ユーザ密度分布における前記第２の変化に基づいてオファー・ディスカウント値を変えることと、および、
前記第４の時間に前記エリア内のユーザに前記第１のオファーを送ることと、をさらに備える、請求項６に記載の方法。
【請求項８】
前記エリア内の高いユーザ密度のロケーションを計算することと、および、
前記高いユーザ密度のロケーション内のユーザに、前記第１のオファーを送ることと、をさらに備える、請求項１に記載の方法。
【請求項９】
前記第１のロケーション情報は、前記複数のユーザに関連したユーザ履歴のセットを備え、ここにおいて、ユーザ履歴の前記セットは、ユーザ・ロケーション履歴およびユーザ購入履歴を備える、請求項１に記載の方法。
【請求項１０】
前記第１のユーザに前記第１のオファーを含む前記メッセージを送ることは、登録データベースにおいて前記第１のユーザに関連したユーザ・コンピューティング・デバイスを識別することと、前記ユーザ・コンピューティング・デバイスに前記第１のオファーを送ることとを備える、請求項１に記載の方法。
【請求項１１】
前記第１のユーザに前記第１のオファーを含む前記メッセージを送ることは、前記エリア内に位置されている電子サインにおいて前記第１のオファーをディスプレイすることを備える、請求項１に記載の方法。
【請求項１２】
ネットワーク・ベースのポジショニング・システムのサーバを使用して、前記ネットワーク・ベースのポジショニング・システムに関連したエリアにおいて第１の時間に複数のユーザに関わる第１のロケーション情報を決定するための手段と、
前記第１のロケーション情報を使用して、前記ネットワーク・ベースのポジショニング・システムに関連した前記エリアに関わる第１のユーザ密度分布を計算するための手段と、
第１のオファーを作成するために前記エリアに関連したルールのセットおよび前記第１のユーザ密度分布を分析するための手段と、および、
第１のユーザに前記第１のオファーを含むメッセージを送るための手段と、を備える、システム。
【請求項１３】
前記第１のユーザ密度分布を使用してユーザ密度分布履歴を更新するための手段と、
広域ネットワークの一部である第２の複数のネットワーク利用可能アクセス・ポイントを介してロケーション情報を受信するための手段と、ここにおいて、前記第１の複数のネットワーク利用可能アクセス・ポイントは、ローカル・エリア・ネットワークの一部である、をさらに備える、請求項１２に記載のシステム。
【請求項１４】
密度差を備える相関値と第１のオファーに関連したディスカウントの相関関係を示すための手段と、
前記相関値に基づいて前記第１のオファーに関連した前記ディスカウントを調整するための手段と、をさらに備える、請求項１２に記載のシステム。
【請求項１５】
非一時的なコンピュータ可読記憶媒体であって、前記記憶媒体に接続されたプロセッサによって実行される場合に、前記プロセッサに、請求項１から１１のいずれかのステップを実行させる命令を備える、非一時的なコンピュータ可読記憶媒体。
【手続補正２】
【補正対象書類名】明細書
【補正対象項目名】００６２
【補正方法】変更
【補正の内容】
【００６２】
[0067]  いくつかの実施形態を説明したが、さまざまな修正、代替の構造および同等のものが、本開示の精神から逸脱しないで使用され得る。例えば、上記の要素は、単により大きなシステムのコンポーネントであり得、ここにおいて他のルールが本発明のアプリケーションにまさるか、そうでなければ本発明のアプリケーションを修正し得る。また、複数のステップが、上記の要素が考慮される前、間、または後に着手され得る。したがって、上記の説明は、本開示の範囲を限定しない。
以下に、本願出願の当初の特許請求の範囲に記載された発明を付記する。
［Ｃ１］
少なくとも１つのアクセス・ポイントおよびサーバを備えるネットワーク・ベースのポジショニング・システムを使用して、前記ネットワーク・ベースのポジショニング・システムに関連したエリアにおいて第１の時間に複数のユーザに関わるロケーション情報を決定することと、
第１のオファーを作成するために前記エリアに関連したルールのセットおよび前記ロケーション情報を分析することと、および、
第１のユーザに前記第１のオファーを含むメッセージを送ることと、を備え、ここにおいて、前記メッセージは第１のロケーションに関連し、および、ここにおいて、前記第１のロケーションは前記ネットワーク・ベースのポジショニング・システムに関連した前記エリアにある、方法。
［Ｃ２］
前記第１のオファーを作成するために前記ロケーション情報を分析することは、
前記ロケーション情報を使用して、前記ネットワーク・ベースのポジショニング・システムに関連した前記エリアに関わる第１のユーザ密度分布を計算することと、
前記第１のユーザ密度分布を使用してユーザ密度分布履歴を更新することと、および、
前記第１のロケーションにユーザを向けるように前記第１のオファーを作成することと、を備え、ここにおいて、前記第１のロケーションは低いユーザ密度のロケーションである、Ｃ１に記載の方法。
［Ｃ３］
マーチャント・コンピュータに前記ロケーション情報を提供することをさらに備える、Ｃ２に記載の方法。
［Ｃ４］
密度差、ユーザ・ロケーション履歴、または、ユーザ購入履歴のうちの少なくとも１つを備える相関値と前記第１のオファーに関連したディスカウントの相互関係を示すことと、および、
前記相関値に基づいて前記第１のオファーに関連した前記ディスカウントを調整することと、をさらに備える、Ｃ２に記載の方法。
［Ｃ５］
前記ネットワーク・ベースのポジショニング・システムを使用して、前記ネットワーク・ベースのポジショニング・システムに関連した前記エリアにおいて第２の時間に第２の複数のユーザに関わる第２のロケーション情報を決定することと、および、
前記第１のオファーに対するユーザ応答を決定するために前記ロケーション情報を分析することと、をさらに備える、Ｃ１に記載の方法。
［Ｃ６］
前記第１のオファーに対する前記ユーザ応答を決定するために前記ロケーション情報を分析することは、
前記第２のロケーション情報を使用して、前記ネットワーク・ベースのポジショニング・システムに関連した前記エリアに関わる第２のユーザ密度分布を計算することと、第１のユーザ密度分布を使用してユーザ密度分布履歴を更新することと、および、
ユーザ密度分布における変化を計算することと、を備える、Ｃ５に記載の方法。
［Ｃ７］
第３の時間に前記エリアに関わる第３のユーザ密度分布を決定することと、
前記第３の時間に前記エリア内のユーザに前記第３の時間における前記第１のオファーを送ることと、
第４の時間に前記エリアに関わる第４のユーザ密度分布を測定することと、
前記ユーザ密度分布における第２の変化を計算することと、および、
前記第１のオファーの時間ベースの有効性を識別することと、をさらに備える、Ｃ６に記載の方法。
［Ｃ８］
第３の時間に前記エリアに関わる第３のユーザ密度分布を決定することと、
前記第３の時間に前記エリア内のユーザに前記第３の時間における第２のオファーを送ることと、
第４の時間に前記エリアに関わる第４のユーザ密度分布を測定することと、および、
ユーザ密度分布における第２の変化を計算することと、をさらに備える、Ｃ６に記載の方法。
［Ｃ９］
前記第１のオファーと前記第２のオファーとの間の有効性の差を識別するために、ユーザ密度分布における前記第２の変化と、ユーザ密度分布における前記変化との間の差を計算することをさらに備える、Ｃ８に記載の方法。
［Ｃ１０］
ユーザ密度分布における前記第２の変化に基づいてオファー・ディスカウント値を変えることと、および、
前記第４の時間に前記エリア内のユーザに前記第１のオファーを送ることと、をさらに備えるＣ８に記載の方法。
［Ｃ１１］
前記エリア内の高いユーザ密度のロケーションを計算することと、および、
前記高いユーザ密度のロケーション内のユーザに、前記第１のオファーを送ることと、をさらに備えるＣ２に記載の方法。
［Ｃ１２］
前記ロケーション情報は、前記複数のユーザに関連したユーザ履歴のセットを備え、ここにおいて、ユーザ履歴の前記セットは、ユーザ・ロケーション履歴およびユーザ購入履歴を備える、Ｃ１に記載の方法。
［Ｃ１３］
前記第１のユーザに前記第１のオファーを含む前記メッセージを送ることは、登録データベースにおいて前記第１のユーザに関連したユーザ・コンピューティング・デバイスを識別することと、前記ユーザ・コンピューティング・デバイスに前記第１のオファーを送ることとを備える、Ｃ１に記載の方法。
［Ｃ１４］
前記第１のユーザに前記第１のオファーを含む前記メッセージを送ることは、前記エリア内に位置されている電子サインにおいて前記第１のオファーをディスプレイすることを備える、Ｃ１に記載の方法。
［Ｃ１５］
第１のマーチャントに前記ユーザ密度分布履歴を備えるロケーション分析を送ることをさらに備える、Ｃ２に記載の方法。
［Ｃ１６］
前記ロケーション分析は、前記ユーザ密度分布履歴に関連したオファー・ディスカウント情報をさらに備える、Ｃ１５に記載の方法。
［Ｃ１７］
前記ロケーション分析は、前記オファー・ディスカウント情報に関連した製品購入情報をさらに備える、Ｃ１６に記載の方法。
［Ｃ１８］
第１の複数のネットワーク利用可能アクセス・ポイントと、
前記第１の複数のネットワーク利用可能アクセス・ポイントに接続されたサーバと、を備え、前記サーバは、
プロセッサと、
前記プロセッサに接続されたコンピュータ可読記憶デバイスと、を備え、
ここにおいて、前記サーバは、前記第１の複数のネットワーク利用可能アクセス・ポイントを介してエリア内の複数のユーザ・コンピューティング・デバイスからロケーション情報を受信し、第１のオファーを作成するために前記エリアに関連した前記コンピュータ可読記憶デバイスからのルールのセットおよび前記ロケーション情報を分析し、および、第１のユーザに前記第１のオファーを含むメッセージを送る、システム。
［Ｃ１９］
広域ネットワークを介して前記サーバに接続された第２の複数のネットワーク利用可能アクセス・ポイントをさらに備え、
ここにおいて、前記サーバは、前記第２の複数のネットワーク利用可能アクセス・ポイントを介してロケーション情報を受信し、および、ここにおいて、前記第１の複数のネットワーク利用可能アクセス・ポイントは、ローカル・エリア・ネットワークを介して前記サーバに接続されている、Ｃ１８に記載のシステム。
［Ｃ２０］
エリア内のユーザに関わるネットワーク・ベースのロケーション情報を受信するための手段と、
前記エリア内のユーザに関わるユーザ密度分布を計算するための手段と、
前記ユーザ密度分布に基づいて前記エリアにおけるロケーションに関連したオファーを作成するための手段と、および、
１以上のユーザに前記オファーを送るための手段と、を備えるシステム。
［Ｃ２１］
前記ネットワーク・ベースのポジショニング・システムに関連した前記エリアに関わる第１のユーザ密度分布を計算するための手段と、
前記第１のユーザ密度分布を使用してユーザ密度分布履歴を更新するための手段と、および、
第１のロケーションにユーザを向けるように第１のオファーを作成するための手段と、をさらに備え、ここにおいて、前記第１のロケーションは、低いユーザ密度のロケーションである、Ｃ２０に記載のシステム。
［Ｃ２２］
密度差を備える相関値と第１のオファーに関連したディスカウントの相関関係を示すための手段と、
前記相関値に基づいて前記第１のオファーに関連した前記ディスカウントを調整するための手段と、をさらに備える、Ｃ２０に記載のシステム。
［Ｃ２３］
非一時的なコンピュータ可読記憶媒体であって、
前記記憶媒体に接続されたプロセッサによって実行される場合に、
少なくとも１つのアクセス・ポイントおよびサーバを備えるネットワーク・ベースのポジショニング・システムを使用して、前記ネットワーク・ベースのポジショニング・システムに関連したエリアにおいて第１の時間に複数のユーザに関わるロケーション情報を決定することと、
第１のオファーを作成するために前記エリアに関連したルールのセットおよび前記ロケーション情報を分析することと、および、
第１のユーザに前記第１のオファーを含むメッセージを送ることと、ここにおいて、前記メッセージは第１のロケーションに関連し、および、ここにおいて、前記第１のロケーションは前記ネットワーク・ベースのポジショニング・システムに関連した前記エリアにある、
を備える方法を、
前記プロセッサに実装させる命令を備える、非一時的なコンピュータ可読記憶媒体。
［Ｃ２４］
前記方法は、
前記ロケーション情報を使用して、前記ネットワーク・ベースのポジショニング・システムに関連した前記エリアに関わる第１のユーザ密度分布を計算することと、
前記第１のユーザ密度分布を使用してユーザ密度分布履歴を更新することと、および、
前記第１のロケーションにユーザを向けるように前記第１のオファーを作成することと、をさらに備え、ここにおいて、前記第１のロケーションは低いユーザ密度のロケーションである、Ｃ２３に記載の非一時的なコンピュータ可読記憶媒体。
［Ｃ２５］
前記方法は、
前記ネットワーク・ベースのポジショニング・システムを使用して、前記ネットワーク・ベースのポジショニング・システムに関連したエリアにおいて第２の時間に第２の複数のユーザに関わるロケーション情報を決定することと、
前記第１のオファーに対するユーザ応答を決定するために前記ロケーション情報を分析することと、
第２のロケーション情報を使用して、前記ネットワーク・ベースのポジショニング・システムに関連した前記エリアに関わる第２のユーザ密度分布を計算することと、
第１のユーザ密度分布を使用してユーザ密度分布履歴を更新することと、および、
ユーザ密度分布における変化を計算することと、をさらに備える、Ｃ２３に記載の非一時的なコンピュータ可読記憶媒体。